(57)【特許請求の範囲】
【請求項１】
左右一対の支柱間に架設される棒状の手摺り部材にスライド自在に取り付けられるスライダー本体と、このスライダー本体が上記手摺り部材から抜け落ちることを防止する脱落防止手段とを備えてなり、
上記スライダー本体は、長手方向に沿って開口を有する筒状体を備え、
上記脱落防止手段は、命綱が結合されると共に作業者が落下したときその荷重で上記開口を閉じる開閉部材と、この開閉部材をロックして上記開口を閉じた状態に維持するロック部材とを備え、上記開閉部材が筒状体の軸に対して垂直にスライドし、上記筒状体の上面に摺接する上片と、上記筒状本体の下面に摺接する下片と、上記上片と上記下片の一端側を連結する連結片とを備えて、断面コ字状に形成されてなり、上記上片の他端側に上記命綱が結合されることを特徴とするスライダー。
【請求項２】
上記開閉部材は、開側維持手段により上記筒状体の開口を開く方向に附勢されてなり、この開側維持手段は、上記筒状体の一方側の側面に垂設されるピンと、上記開閉部材の連結片に開穿されて上記ピンを挿通する挿通孔と、上記筒状体の一方側の側面と上記連結片との間に介装される開側附勢ばねとからなることを特徴とする請求項１に記載のスライダー。
【請求項３】
上記開閉部材の上片における他端側下面に断面略Ｌ字状のガイドが結合されてなり、このガイドは、上記上片に沿って結合される水平片と、この水平片の端部から下側に垂設される垂直片とからなり、
上記垂直片は、上記開閉部材が上記筒状体の開口を開いているとき、上記筒状体の側面に当接することを特徴とする請求項１または請求項２に記載のスライダー。
【請求項４】
上記ロック部材が上記ピンに交差するロックピンと、上記開閉部材に形成されて上記ロックピンの先端が係合する係止孔と、上記ロックピンを上記係止孔側に附勢するロックばねとを備え、
上記開閉部材が上記開口を閉じたとき上記ロックピンの先端が上記係止孔と対向して上記ロックばねの附勢力で上記係止孔に係合することを特徴とする請求項１から請求項３の何れかに記載のスライダー。
【請求項５】
左右一対の建枠と、これら建枠の間に架設される足場板とからなる複数の足場ユニットからなり、これらの足場ユニットを作業対象物に沿って複数並べて配置する枠組足場において、
上記建枠が一対の縦材と、これら縦材の間に架設されて上記足場板を支持する横架材とからなり、
上記足場板の反作業対象物側に起立する左右一対の支柱と、これら支柱の間に架設される棒状の手摺り部材とからなる手摺りを設置し、
両側に位置する上記足場ユニットの上記手摺り部材の端部に断面略コ字状のストッパ本体と、このストッパ本体を上記手摺り部材に固定する閂とからなるストッパ部材を設け、
上記手摺り部材に請求項１から請求項４の何れかに記載のスライダーをスライド自在に取り付け、
上記ストッパ部材は、このストッパ部材を超えて上記スライダーが移動することを阻止することを特徴とする枠組足場。
【発明の詳細な説明】
【技術分野】
【０００１】
この発明は、スライダー及びスライダーを備える枠組足場に関し、特に、枠組足場に設置される手摺りに取り付けられて命綱が結合される命綱移動用のスライダーの改良に関する。
【背景技術】
【０００２】
一般に、建築工事、土木工事現場では、作業位置に対応して枠組足場を仮設し、この枠組足場を利用して作業者が歩行したり、作業を行ったりしている。
【０００３】
そこで、作業者の安全を確保するため、上記枠組足場に据え置き式または盛り替え式の手摺りを設置し、命綱を上記枠組足場や上記手摺り等に結合する。
【０００４】
しかしながら、命綱を上記枠組足場や上記手摺りに直接結合した場合においては、作業者の移動に応じて上記命綱の結合位置を変更する必要があり、作業が煩雑であった。
【０００５】
そこで、出願人は、特許文献１に開示するように、手摺りに沿ってスライドするスライダーを設け、このスライダーに命綱を結合することで上記不具合の解決を図った。
【０００６】
上記スライダーは、図９に示すように、下方が開放されて開口１０Ａを有する筒状体１１Ａと、この筒状体１１Ａに垂設されて命綱が結合されるリングブラケット１２Ａとを備えてなる。
【０００７】
また、上記スライダーが取り付けられる手摺りは、作業者が作業する足場板の外方側長手方向に起立する左右一対の支柱と、これら支柱間に架設される棒状の手摺り部材とを備える。
【０００８】
そして、上記スライダーの筒状体１１Ａ内に上記手摺り部材を挿通し、上記開口１０Ａが上記支柱と手摺り部材の結合部よりも幅広に形成される。
【０００９】
従って、上記スライダーは、手摺り部材に沿ってスライドして隣り合う手摺り部材に乗り移ることが可能となり、命綱の結合位置を変更する作業が不要で、命綱が作業者の移動の妨げとならない。
【先行技術文献】
【特許文献】
【００１０】
【特許文献１】特開２００７−１００４９５号  公報
【発明の概要】
【発明が解決しようとする課題】
【００１１】
上記従来のスライダーを備えることにより、命綱の結合を解除することなく命綱の結合位置を手摺りに沿ってスライドさせることが可能となる点において有用であるが、以下の不具合を指摘される虞がある。
【００１２】
即ち、作業者が足場板上から落下してその荷重がかかったとき、スライダーが取り付けられる手摺りは、作業者が落下したときの衝撃を受けて傾斜して隣り合う手摺りと離間する。
【００１３】
このとき、スライダーが手摺り部材の略中央に位置している場合には、手摺り部材が上記スライダーを支点にＶ字状に撓んでスライダーの移動を阻止する。
【００１４】
しかしながら、スライダーが手摺り部材の端に位置して且つ隣接する手摺り部材に端部がかかっていない場合、手摺り部材が傾斜すると共に端部が斜めに撓み、スライダーが手摺り部材から抜け落ちる虞がある。
【００１５】
従って、従来のスライダーにおいては、スライダーが手摺り部材の中央部から移動したときに筒状体の端部が隣接する手摺り部材にかかるよう筒状体を長尺に形成する必要がある。
【００１６】
そこで、本発明の目的は、筒状体を長尺に形成することなく上記スライダーの抜け落ちを防止することが可能なスライダー及び、このスライダーを備えた枠組足場を提供することである。
【課題を解決するための手段】
【００１７】
上記課題を解決するための手段は、左右一対の支柱間に架設される棒状の手摺り部材にスライド自在に取り付けられるスライダー本体と、このスライダー本体が上記手摺り部材から抜け落ちることを防止する脱落防止手段とを備えてなり、上記スライダー本体は、長手方向に沿って開口を有する筒状体を備え、上記脱落防止手段は、命綱が結合されると共に作業者が落下したときその荷重で上記開口を閉じる開閉部材と、この開閉部材をロックして上記開口を閉じた状態に維持するロック部材とを備え、上記開閉部材が筒状体の軸に対して垂直にスライドし、上記筒状体の上面に摺接する上片と、上記筒状本体の下面に摺接する下片と、上記上片と上記下片の一端側を連結する連結片とを備えて、断面コ字状に形成されてなり、上記上片の他端側に上記命綱が結合されることである。
【発明の効果】
【００１８】
本発明によれば、作業者が落下したときその荷重で開閉部材が筒状体の開口を閉じるため上記開閉部材が支柱に引っ掛かり、スライダーが手摺り部材から抜け落ちることを防止することが可能となる。
【００１９】
従って、筒状体を長尺に形成する必要がなく、安価且つ軽量にスライダーを製造することが可能となる。
【図面の簡単な説明】
【００２０】
【図１】本発明の一実施の形態に係るスライダーを備える枠組足場を部分的に示す背面図である。
【図２】本発明の一実施の形態に係るスライダーを備える枠組足場を部分的に示す側面図である。
【図３】本発明の一実施の形態に係るスライダーを拡大して示す底面図である。
【図４】本発明の一実施の形態に係るスライダーを拡大して示す正面図である。
【図５】本発明の一実施の形態に係るスライダーを拡大して示す平面図である。
【図６】（ａ）本発明の一実施の形態に係るスライダーを拡大して示すＸＸ断面図であり、開閉部材が筒状体の開口を開いた状態を示す。
【００２１】
（ｂ）本発明の一実施の形態に係るスライダーを拡大して示すＸＸ断面図であり、開閉部材が筒状体の開口を閉じた状態を示す。
【図７】本発明の一実施の形態に係るスライダー備える枠組足場のストッパを分解し拡大して示す斜視図である。
【図８】（ａ）本発明の他の実施の形態に係るスライダーの一部を拡大して示す底面図であり、開閉部材が筒状体の開口を開いた状態を示す。
【００２２】
（ｂ）本発明の他の実施の形態に係るスライダーの一部を拡大して示す底面図であり、開閉部材が筒状体の開口を閉じた状態を示す。
【図９】従来のスライダーを示す底面図である。
【発明を実施するための形態】
【００２３】
以下、本発明の一実施の形態を示すスライダーについて、図面を参照しながら説明する。いくつかの図面を通して付された同じ符号は、同じ部品かまたはそれに対応する部品を示す。
【００２４】
本実施の形態に係るスライダーは、建築工事、土木工事現場に架設される枠組足場に設置される手摺りにスライド自在に取り付けられて、命綱の一端側が結合される。
【００２５】
上記枠組足場は、図１、２に示すように、左右一対の建枠Ｂ、Ｂと、これら建枠Ｂ、Ｂの間に架設される足場板Ｃとからなる複数の足場ユニットからなり、足場ユニットを建築物等の作業対象物Ｄに沿って並べて配置し、次いで、上方に上記足場ユニットを順に重ねて組み付けることにより構成される。
【００２６】
そして、上記足場ユニットの建枠Ｂは、図２中左右に配置される一対の縦材Ｂ１、Ｂ１と、これら縦材Ｂ１、Ｂ１の間に架設されて上記足場板Ｃを支持する横架材Ｂ２とからなる。
【００２７】
上記枠組足場には、上記足場ユニットを組み付ける際に作業者が転落することを防止するため、上段の足場ユニットを組み付ける前に下段の足場ユニットの縦材Ｂ１を利用して上段の足場ユニット用の手摺り１が取り付けられる。
【００２８】
そして、上記手摺りＥは、左右一対の支柱Ｅ１、Ｅ１と、これら支柱Ｅ１、Ｅ１間に架設される棒状の手摺り部材Ｅ２とを備えてなり、上記各支柱Ｅ１、Ｅ１が足場ユニットの反作業対象物側、即ち、外方側に左右に配置される縦材Ｂ１、Ｂ１にそれぞれ固定される。
【００２９】
以下の説明において、説明するものの作業対象物Ｄ側を内方側、同反作業対象物側を外方側とすることとする。
【００３０】
尚、上記足場ユニットに先行して取り付けることが可能な手摺りＥは、先行手摺りとして種々の提案がなされており周知であるため、先行手摺りの詳細な構成は、上記特許文献１等を参照するものとする。
【００３１】
本実施の形態に係るスライダーＡ１は、命綱ＦがフックＦ１を介して結合される命綱移動用のスライダーであり、上記足場ユニットに先行して取り付けられた手摺りＥに取り付けられて、この手摺りＥと共に上段の足場ユニットを組み付ける際の安全性の確保を図る。
【００３２】
上記スライダーＡ１は、図３に示すように、左右一対の支柱Ｅ１、Ｅ１間に架設される棒状の手摺り部材Ｅ２にスライド自在に取り付けられるスライダー本体１と、このスライダー本体１が上記手摺り部材Ｅ２から抜け落ちることを防止する脱落防止手段とを備えてなる。
【００３３】
そして、上記スライダー本体１は、長手方向に沿って開口１０を有する筒状体１１を備える。
【００３４】
また、上記脱落防止手段は、命綱Ｆが結合して作業者が落下したときその荷重で上記開口１０を開閉する開閉部材２と、この開閉部材２をロックして上記開口１０を閉じた状態に維持するロック部材３とを備える。
【００３５】
以下に、本実施の形態に係るスライダーＡ１の各構成部品について詳細に説明する。
【００３６】
上記棒状の手摺り部材Ｅ２にスライド自在に取り付けられるスライダー本体１は、図３〜図５に示すように、上記手摺り部材Ｅ２が挿通するの筒状体１１と、この筒状体１１の上面１１ａ及び側面１１ｂ、１１ｃに設けられる複数のローラ１２と、上記筒状体１１の両端部に設けられる一対の傾斜ガイド１３、１３とを備える。
【００３７】
上記筒状体１１は、長尺の板状部材を長手方向に沿って折り曲げて断面略矩形に形成されてなり、相対向する長尺辺の合口部に形成される開口１０が筒状体の下面１１ｄに配置される。
【００３８】
また、上記開口１０は、手摺りにおける支柱Ｅ１と手摺り部材Ｅ２との接合部Ｅ３（図３）よりも幅広に形成されており、当該構成を備えることによりスライダーＡ１が上記支柱Ｅ１に引っ掛からず、隣り合う手摺り部材Ｅ２に乗り移ることが可能となる。
【００３９】
上記筒状体１１に設けられるローラ１２は、上記筒状体１１の上面１１ａに三個、内外の側面１１ｂ、１１ｃに二個設けられてなり、各ローラ１２が手摺り部材Ｅ２の外周に当接しながら回転するため、スライダーＡ１が手摺り部材Ｅ２に沿って円滑にスライドする。
【００４０】
また、上記筒状体１１の両端部に設けられる一対の傾斜ガイド１３は、それぞれ内外一対の傾斜片１３ａ、１３ｂからなり、各傾斜片１３ａ、１３ｂは、上記筒状体１１の両側面１１ｂ、１１ｃの端部に基端部が結合されて先端を離間させながら傾斜する。
【００４１】
即ち、図３に示すように、傾斜ガイド１３が先端にかけて拡径されてなるため、例えば、スライダーＡ１が取り付けられている手摺り部材Ｅ２と隣り合う手摺り部材Ｅ２とがずれていたとしても、当該傾斜ガイド１３で隣り合う手摺り部材Ｅ２を筒状体１１内に案内することが可能となる。
【００４２】
尚、上記スライダー本体１の構成は、図示するところの限りではなく、適宜構成を選択することが可能である。
【００４３】
例えば、上記筒状体１１の断面形状を上記開口１０を有する円形としても良いことは勿論であり、他の断面形状とするとしても良い。
【００４４】
また、上記ローラ１２の数量及びローラ１２を取り付ける位置は、適宜選択することが可能である。
【００４５】
また、図示しないが、上記傾斜ガイド１３を先端側にかけて拡径するスカート状に形成するとしても良い。
【００４６】
上記スライダー本体１が上記手摺り部材Ｅ２から抜け落ちることを防止する落下防止手段は、命綱ＦがフックＦ１を介して結合して作業者が落下したときその荷重で筒状体１１の開口１０を閉じる開閉部材２と、この開閉部材２をロックして上記開口１０を閉じた状態に維持するロック部材３とを備える。
【００４７】
上記開閉部材２は、筒状体１１の軸に対して垂直にスライドし、図６に示すように、上記筒状体１１の上面１１ａに摺接する上片２０と、上記筒状本体１１の下面１１ｄに摺接する下片２１と、上記上片２０と上記下片２１の一端側を連結する連結片２２とを備え、断面コ字状に形成されてなる。
【００４８】
上記上片２０は、中央に開穿される長孔２０ａ（図５）を備える平板状部材であり、上記長孔２０ａを備えることにより、筒状体１１に設けられるローラ１２を避けて落下防止手段を取り付けることが可能となる。
【００４９】
また、上記連結片２２は、上記上片２０の一端側（本実施の形態においては外方側）から下側に垂設されてなり、以下に説明するピン３０が挿通する挿通孔２２ａが穿設される平板状部材である。
【００５０】
また、上記下片２１は、上記連結片２２の下端に垂設されてなり、上記上片２２と相対向して配置される。
【００５１】
そして、上記開閉部材２は、上記上片２０と下片２１の他端側（本実施の形態においては内方側）に形成される開口部内に上記スライダー本体１を挿入し、上記下片２１で上記筒状体１１の開口１０を開閉する。
【００５２】
本実施の形態において、命綱Ｆが上記上片２０の内方側に結合されると共に上記連結片２２が上記上片２０及び下片２１の外方側を連結して外方側に配置されることから、スライダーＡ１は、作業者が作業対象物Ｄと枠組足場との隙間に落下したとき上記開閉部材２がスライドして筒状体１１の開口１０を閉じることが可能となる。
【００５３】
尚、筒状体１１の開口１０を開くとは、上記開口１０の一部または全てを開いて、支柱Ｅ１と手摺り部材Ｅ２の結合部Ｅ３をスライダーＡ１が通過し得る状態にあることを言うものである。
【００５４】
一方、筒状体１１の開口１０を閉じるとは、上記開口１０の一部または全てを閉じて、支柱Ｅ１と手摺り部材Ｅ２の結合部Ｅ３をスライダーＡ１が通過することができない状態にあることを言うものである。
【００５５】
つまり、上記開閉部材２で筒状体１１の開口１０を閉じることにより、スライダーＡ１が左右の支柱Ｅ１、Ｅ１より外側に手摺り部材Ｅ２上を移動することを阻止することが可能となる。
【００５６】
また、スライダーＡ１が左右の支柱Ｅ１、Ｅ１より外側に移動した場合に必ず筒状体１１の端部が隣り合う手摺り部材Ｅ２にかかる長さに筒状体１１を形成することにより、スライダーＡ１の抜け落ちを確実に防止することが可能となる。
【００５７】
従って、従来のスライダーよりも筒状体１１を短く形成することが可能となり、安価且つ軽量にスライダーＡ１を製造することが可能となる。
【００５８】
また、上記開閉部材２の形状は上記の限りではなく、図示しないが、連結片２２を湾曲させて断面Ｕ字状とする等、適宜形状を選択することが可能である。
【００５９】
また、上記開閉部材２を開閉する方向も適宜選択することが可能であり、例えば、後述の他の実施の形態に示すように、開閉部材２００が回転しながら筒状体１１の開口１０を開閉するとしても良い。
【００６０】
また、図示しないが、上記開閉部材２の両側に支柱Ｅ１と係合する切欠を形成し、上記開閉部材２が筒状体１１の開口１０を閉じた状態でスライダーＡ１がスライドしたとき、上記切欠と支柱Ｅ１とを係合させるとしても良い。
【００６１】
上記開閉部材２は、開側維持手段４により筒状体１１の開口１０を開く方向に附勢されてなり、この開側維持手段４は、上記筒状体１１の一方側（本実施の形態においては外方側）の側面１１ｃに垂設されるピン４０と、上記開閉部材２の連結片２２に開穿されて上記ピン４０を挿通する挿通孔２２ａと、上記筒状体１１の一方側の側面１１ｃと上記連結片２２との間に介装される開側附勢ばね４１とからなる。
【００６２】
上記構成を備えることにより、上記開側維持手段４は、上記開側附勢ばね４１の附勢力で連結片２２を外方側に附勢して筒状体１１の開口１０を開いた状態に維持することが可能となる。
【００６３】
従って、作業者の移動により命綱Ｆが引っ張られたとしても、上記開側維持手段４は、上記開閉部材２が筒状体１１の開口１０を閉じることを防止して、開閉部材２がスライダーＡ１のスライドの妨げとなることを防ぐ。
【００６４】
つまり、作業者が足場板Ｃ上から落下しない限り筒状体１１の開口１０を上記開側維持手段４で開いた状態に維持することが可能となる。
【００６５】
また、上記ピン４０の先端部が上記挿通孔２２ａを貫通して上記連結片２２の外方側に突出しこの先端部にナット４２が螺合されてなり、上記ナット４２の外径は、上記挿通孔２２ａの内径よりも大径に形成される。
【００６６】
従って、上記ピン４０の先端部が上記挿通孔２２ａから抜けることがなく、上記開側附勢ばね４１の附勢力で開閉部材２がスライダー本体１から脱落することを防ぐことが可能となる。
【００６７】
尚、上記開側維持手段４の構成は適宜選択することが可能であり、たとえば、図示しないが、作業者が落下して命綱Ｆに荷重がかかった場合にピン４０が折れて筒状体の開口を開くとしても良い。
【００６８】
上記開閉部材２の上片２０における内方側の下面には断面略Ｌ字状のガイド５が結合されてなり、このガイド５は、上記上片２０に沿って結合される水平片５０と、この水平片５０の端部から下側に垂設される垂直片５１とからなる。
【００６９】
上記垂直片５１は、図６（ａ）に示すように、上記開閉部材２が筒状体１１の開口１０を開いているとき、上記筒状体１１の内方側の側面１１ｂに当接し、その先端に沿って筒状体側に折れ曲がるフック片（不視せず）を備えてなる。
【００７０】
上記ガイド５を備えることにより、本実施の形態に係るスライダーＡ１は、筒状体１１が手摺り部材Ｅ２に沿ってスライドするとき、上記開閉部材２が筒状体１１に対してガタツクことを防ぐことが可能となる。
【００７１】
尚、ガイド５の構成は上記の限りではなく、図示しないが、ガイド５が開閉部材の上片２０に直接固定される上記垂設片５１のみからなるとしても良く、適宜構成を選択することが可能である。
【００７２】
上記開閉部２材が上記筒状体１１の開口１０を閉じた状態（図６（ｂ））に維持するロック部材３は、上記ピン４０に交差するロックピン３０と、上記開閉部材２に形成されて上記ロックピン３０の先端が係合する係止孔２０ｂと、上記ロックピン３０を上記係止孔２０ｂに向けて附勢するロックばね３１とを備える。
【００７３】
上記ロックピン３０は、筒状体１１における外方側の側面１１ｃに相対向して起立する一対の保持片３２、３２に保持されて、上記開閉部材２の下片２１から上片２０に向けて上記ピン４０と垂直に交わるよう配置される。
【００７４】
そして、上記係止孔２０ｂは、上記上片２０の外方側に開穿されてなり、図６（ｂ）に示すように、開閉部材２がスライドして筒状体１１の開口１０を閉じたとき、上記ロックピン３０の先端と対向する位置に設けられる。
【００７５】
上記ロックばね３１は、図６中上側の保持片３２と上記ロックピン３１を径方向に貫通する係止ピン（符示せず）との間に介装されて、上記ロックピン３０を図６中上方に向けて附勢する。
【００７６】
上記構成を備えることによりロック部材３は、上記開閉部材２がスライドして筒状体１１の開口１０を閉じたとき、上記ロックピン３０の先端と係止孔２０ｂとが対向し、上記ロックばね３１の附勢力に従い上記ロックピン３０が図６中上方に移動してロックピン３０の先端が係止孔２０ｂに挿通する。
【００７７】
従って、上記ロック部材３により上記開閉部材２が筒状体１１の開口１０を閉じた状態にロックされるため、作業者が落下したとき命綱Ｆが伸きり、作業者がリバウンドして上記命綱Ｆにかかる荷重がなくなったとしても、筒状体１１の開口１０が開いてスライダーＡ１が手摺りから抜け落ちることがない。
【００７８】
また、上記ロックピン３０の基端にはリング（符示せず）が設けられ、このリングを引っ張ってロックピン３０を係止孔２０ｂから引き抜くことにより、開側附勢ばね４１の附勢力により開閉部材２がスライドして筒状体１１の開口１０を再度開くことが可能となる。
【００７９】
また、上記ロックピン３０は、開閉部材２の下片２１に形成される長細孔２１ａから挿入されてなり、上記長細孔２１ａを備えることによりロックピン３０と開閉部材２とが相対移動することが可能となる。
【００８０】
尚、本実施の形態においては、上記ロックピン３０が上記したように下片２１から上片２０に向けて挿入されているがこの限りではなく、図示しないが、上片２０から下片２１に向けて挿入しても良く、また、上記上片２０の両側に左右一対の側片を設け、一方の側片から他方の側片に向けて挿入するとしても良い。
【００８１】
また、開閉部材２の上片２０に組み付け孔２０ｃを設けることにより、この組み付け孔２０ｃから上記ロック部材３を組み付けることが容易に可能となるがこの限りではなく、他の構成によりロック部材３を組み付けるとしても良いことは勿論である。
【００８２】
ところで、本実施の形態に係る上記スライダーＡ１が取り付けられる枠組足場は、作業対象物Ｄに沿って並べられる複数の足場ユニットのうち、両側に配置される足場ユニットの手摺り部材Ｅ２の端部にストッパ部材６を有する。
【００８３】
上記ストッパ部材６は、図７に示すように、断面略コ字状のストッパ本体６０と、このストッパ本体６０を手摺り部材Ｅ２に固定する閂６１とからなり、スライダーＡ１がこのストッパ部材６を超えて移動することを阻止する。
【００８４】
上記ストッパ本体６０は、手摺り部材Ｅ２の上面に当接するストッパ上片６２と、このストッパ上片６２の端部に垂設されるストッパ垂片６３と、このストッパ垂片６３に垂設されると共に上記ストッパ上片６２と対向するストッパ下片６４とからなる。
【００８５】
そして、上記ストッパ上片６２と上記ストッパ下片６４には相対向して対をなす連結孔６５が二対設けられる。
【００８６】
また、上記ストッパ下片６４には上記連結孔６５、６５の間に切欠６４ａが設けられ、当該切欠６４ａを備えることにより、支柱Ｅ１を避けてストッパ部材６を手摺り部材Ｅ２に装着することが可能となる。
【００８７】
一方、上記閂６１は、棒状のバー６６と、このバー６６の両端に垂設される一対の脚６７、６７とからなり、コ字状に形成される。
【００８８】
そして、上記閂６１は、各脚６７、６７を上記連結孔６５にそれぞれ挿通することにより、上記ストッパ本体６０を上記手摺り部材Ｅ２に固定する。
【００８９】
また、一方の足６７の先端部には径方向にピン６８が挿通されてなり、当該ピン６８を備えることにより、閂６１がストッパ部材６０から完全に抜けることを防止して、ストッパ部材６０と閂６１が分解されることを防ぐことが可能となる。
【００９０】
尚、閂６１が上記構成を備えることにより、ストッパ部材６０の着脱が容易であるがこと限りではなく、図示しないが、上記脚６７の先端にナットを螺合して上記ストッパ部材６を手摺り部Ｅ２材に装着するとしても良い。
【００９１】
また、上記構成を備えることによりストッパ部材６は、支柱Ｅ１に引っ掛かって手摺り部材Ｅ２上をスライドすることがなく、このストッパ部材６よりも先にスライダーＡ１が移動することを阻止することが可能となる。
【００９２】
上記ストッパ部材６の構成は上記の限りではなく、筒状体１１の開口１０が開かれた状態にある場合においても上記スライダーＡ１の移動を阻止し得る限りにおいて適宜構成を選択することが可能である。
【００９３】
次に、本実施の形態に係る上記スライダーＡ１の作用について説明する。
【００９４】
上記スライダーＡ１は、命綱Ｆを介して作業者と連結されると共にスライダー本体１の筒状体１１内に手摺り部材Ｂ２を挿通して手摺りＥにスライド自在に取り付けられる。
【００９５】
また、上記筒状体１１の下面に形成される開口１０を備えることにより、スライダーＡ１は、手摺り部材Ｅ２と支柱Ｅ１との結合部Ｅ３を避けて、隣り合う手摺り部材Ｅ２に乗り移る。
【００９６】
従って、作業者が隣り合う足場ユニットに移動したとき、スライダーＡ１も隣り合う足場ユニットに取り付けられる手摺りＥに移動することが可能となり、命綱Ｆが作業者の移動の妨げとなることを防ぐ。
【００９７】
そして、作業者が足場板Ｃから落下したとき、命綱Ｆに作業者が吊り下げられてその荷重が命綱Ｆを介して開閉部材２に作用して、開閉部材２は、図６（ａ）中左方向に引っ張られる。
【００９８】
これにより、開側附勢ばね４１の附勢力に抗して開閉部材２が図６（ａ）中左方向に移動して筒状体１１の開口１０を閉じる。
【００９９】
このとき、スライダーＡ１が手摺り部材Ｅ２に沿ってスライドするとき、開閉部材２の下片２１が支柱Ｅ１に当接するため、スライダーＡ１が手摺りＥから脱落することがない。
【０１００】
また、筒体１１の長さは、上述したようにスライダーＡ１が支柱Ｅ１より外側に位置していても隣り合う手摺り部材Ｅ２にかかるよう設定されるため、作業者が落下したとき手摺り部材Ｅ２と隣り合う手摺り部材２が同時に撓む。
【０１０１】
つまり、上記双方の手摺りＥ２、Ｅ２の端部が筒状体１１を介して連結されているため、上記双方の手摺り部材Ｅ２、Ｅ２が離間せずスライダーＡ１が手摺り部材Ｅ２から抜け落ちることがない。
【０１０２】
また、開閉部材２が筒状体１１の開口１０を閉じたとき、ロックピン３０がロックばね３１の附勢力で係止孔２０ｂに挿通して開閉部材２をロックする。
【０１０３】
これにより、作業者がリバウンドして開閉部材２に荷重が作用しない場合においても、開閉部材２が筒状体１１の開口１０を閉じた状態に維持してスライダーＡ１が手摺りＥから脱落することを防止することが可能となる。
【０１０４】
次に、本発明の他の実施の形態を示すスライダーＡ２について、図面を参照しながら説明する。本実施の形態におけるスライダーＡ２は、上記一実施の形態を示すスライダーＡ１における脱落防止手段の変形例である。
【０１０５】
したがって、脱落防止手段以外の構成については、上記一実施の形態と同様であり、上記一実施の形態を参照するものとして、ここでの詳細な説明を省略する。
【０１０６】
図８は、本実施の形態におけるスライダーＡ２を部分的に拡大して示す底面図であり、図８中上側が外方側、同下側が内方側である。
【０１０７】
本実施の形態に係る脱落防止手段も一実施の形態と同様に、命綱Ｆが結合して作業者が落下したときその荷重で筒状体１１の開口１０を開閉する開閉部材２００と、この開閉部材２００をロックして上記開口１０を閉じた状態に維持するロック部材３００とを備える。
【０１０８】
上記開閉部材２００は、筒状体１１の上面１１ａ端部から内方側に延設される上片２０１と、筒状体１１の内方側の下面１１ｄ端部から内方側に延設される左右一対の下片２０２、２０２と、これら下片２０２、２０２に支えられると共に命綱Ｆが結合する孔２０３ａを備える可動片２０３と、上記可動片２０３に回転自在に取り付けられる左右一対の開閉片２０４、２０４とを備える。
【０１０９】
上記各開閉片２０４、２０４は、上記両下片２０２、２０２に垂設されるピンＰ、Ｐの先端に回転自在にそれぞれ保持されてなり、上記ピンＰが挿通する挿通孔２０４ａが長孔状に形成される。
【０１１０】
上記構成を備えることにより、作業者が落下してその荷重が上記可動片２０３に作用したとき、図８（ｂ）に示すように、上記各開閉片２０４、２０４が回転して上記可動片２０３が内方側に移動すると共に、上記開閉片２０４、２０４の先端で筒状体１１の開口１０を閉じることが可能となる。
【０１１１】
したがって、上記開閉部材２００は、筒状体１１の開口１０を閉じることにより、スライダーＡ２が左右の支柱Ｅ１、Ｅ１より外側に手摺り部材Ｅ２上を移動することを阻止することが可能となる。
【０１１２】
上記開口部材２００が筒状体１１の開口１０を閉じた状態に維持するロック部材３００は、上記一実施の形態のロック部材３と同様に、ロックピン３０１と、上記開閉部材２００の上片２０１に形成されて上記ロックピン３０１の先端が係合する係止孔３０２と、上記ロックピン３０１を係止孔３０２に向けて附勢するロックばね（図示せず）とを備える。
【０１１３】
そして、上記係止孔３０２は、上記上片２０１の内方側に穿設されてなり、図８（ｂ）に示すように、開閉部材２が筒状体１１の開口１０を閉じたとき、上記ロックピン３０１の先端と対向する位置に設けられる。
【０１１４】
上記構成を備えることにより、ロック部材３００は、上記開閉部材２００が筒状体１１の開口１０を閉じたとき、ロックばねの附勢力に従い上記係止孔３０２に先端を挿通し、上記開閉部材２００が筒状体１１の開口１０をロックした状態に維持することが可能となる。
【０１１５】
図８中には、開閉部材２００が筒状体１１の開口１０を開いた状態に維持する開側維持手段を示していないが、適宜開側維持手段を設けることが好ましい。
【０１１６】
例えば、上記開側維持手段が一対の開閉片２０４、２０４の間に介装されるスプリング等の弾性部材からなり、この弾性部材で開閉片２０４、２０４の各基端の距離が最短となるよう附勢するとしても良い。
【０１１７】
尚、ロックピン３０１の先端と上片２０１の摩擦力等により、筒状体１１の開口１０を開いた状態に維持することが可能な場合には、特別に上記開側維持手段としての具体的な構成を設ける必要はない。
【０１１８】
次に、本実施の形態に係るスライダーＡ２における脱落防止手段の作用について説明する。
【０１１９】
作業者が足場板Ｃから落下したとき、命綱Ｆに作業者が吊り下げられてその荷重が命綱を介して開閉部材２００に作用して開閉部材２００が内方側、即ち、図８（ａ）中下側に引っ張られる。
【０１２０】
これにより、図８（ｂ）に示すように、開閉部材２００の両開閉片２０４、２０４が回転し、その先端部で筒状体１１の開口１０を閉じる。
【０１２１】
この状態でスライダーＡ２が手摺り部材Ｅ２に沿ってスライドするとき、開閉片２０４が支柱Ｅ１に当接するため、スライダーＡ２が手摺りＥから脱落することがない。
【０１２２】
また、開閉部材２００が筒状体１１の開口１０を閉じたとき、ロックピン３０１がロックばね（図示せず）の附勢力で係止孔３０２に挿通して開閉部材２００をロックする。
【０１２３】
これにより、作業者がリバウンドして開閉部材２００に荷重が作用しない場合においても、開閉部材２００が筒状体１１の開口１０を閉じた状態に維持してスライダーＡ２が手摺りＥから脱落することを防止することが可能となる。
【０１２４】
以上、本発明の好ましい実施の形態を説明したが、特許請求の範囲から逸脱することなく改造、変形及び変更を行うことができることは理解すべきである。
【０１２５】
例えば、上記各実施の形態においては、枠組足場に設置される先行手摺りにスライダーを取り付けるとしたがこの限りではなく、据え置き式または盛り替え式の手摺りに本発明のスライダーを取り付けるとしても良いことは勿論である。
【０１２６】
また、上記各実施の形態においてスライダーは、作業者が足場板と作業対象物との間、即ち、足場板の内方側に落下したときにスライダーの脱落を防止しているがこの限りではなく、脱落防止手段を取り付ける向きを変更するとしても良い。
【０１２７】
つまり、図示しないが、脱落防止手段の内方側と外方側とを逆にしてスライダー本体に取り付けることにより、足場板の外方側に落下したときにスライダーの脱落を防止することが可能となる。
【０１２８】
また、図示しないが、スライダー本体に二つの脱落防止手段を取り付けて、一方の脱落防止手段を上記一実施の形態と同様に、他方の脱落防止手段を逆向きにすることにより、足場板の内方側若しくは外方側の何れに落下したとしてもスライダーの脱落を防止することが可能となる。
【符号の説明】
【０１２９】
Ａ１、Ａ２  スライダー
Ｂ  建枠
Ｂ１  縦材
Ｂ２  横架材
Ｃ  足場板
Ｄ  作業対象物
Ｅ  手摺り
Ｅ１  支柱
Ｅ２  手摺り部材
Ｆ  命綱
Ｆ１  フック
１  スライダー本体
２、２００  開閉部材
３、３００  ロック部材
４  開側維持手段
５  ガイド
６  ストッパ部材
１０  開口
１１  筒状体
１２  ローラ
１３  傾斜ガイド
２０、２０１  上片
２１、２０２  下片
２２  連結片
３０、３０１  ロックピン
３１  ロックばね
４０  ピン
４１  開側附勢手段
５０  水平片
５１  垂直片
６０  ストッパ本体
６１  閂
【図１】
0005623116.tif 000002
【図２】
0005623116.tif 000003
【図３】
0005623116.tif 000004
【図４】
0005623116.tif 000005
【図５】
0005623116.tif 000006
【図６】
0005623116.tif 000007
【図７】
0005623116.tif 000008
【図８】
0005623116.tif 000009
【図９】
0005623116.tif 000010